(57)【要約】【課題】コネクタ端子の保持力を確保しながら、コネクタの薄型化を実現すること。【解決手段】筒状のハウジング１３に挿入されるコネクタ端子１５を保持部材２９によりハウジングに保持する。ハウジング１３は、コネクタ端子１５に形成された係止穴６３と対向する位置の筒壁に開口２７が形成される。保持部材２９は、開口に装着されるとともにハウジングに係止される基部４３と、この基部から突出して係止穴６３に挿入可能に形成された突起部５１とを有している。【選択図】図１
2015125837.tif 000002
【特許請求の範囲】
【請求項１】
筒状のハウジングに挿入されるコネクタ端子を保持部材により前記ハウジングに保持するコネクタ端子保持構造であって、
前記ハウジングは、前記コネクタ端子に形成された係止穴と対向する位置の筒壁に開口が形成され、
前記保持部材は、前記開口に装着されるとともに前記ハウジングに係止される基部と、該基部から突出して前記係止穴に挿入可能に形成された突起部とを有してなるコネクタ端子保持構造。
【請求項２】
前記保持部材は、平板状に形成された前記基部の側縁から立設する支持片を備えており、
前記ハウジングは、前記支持片が前記コネクタ端子の挿入方向の後方に傾いたときに当接可能に形成された壁部を有してなる請求項１に記載のコネクタ端子保持構造。
【請求項３】
前記保持部材は、平板状に形成された前記基部の側縁から立設する支持片を備えており、
前記ハウジングの内壁面には、前記支持片を収容する凹部が形成されてなる請求項１に記載のコネクタ端子保持構造。
【請求項４】
前記ハウジングは、断面矩形に形成され、前記保持部材の前記支持片は、矩形の平板状に形成された前記基部の両側縁から対をなして立設し、該支持片は、前記コネクタ端子の幅方向の両側に配置される請求項２又は３に記載のコネクタ端子保持構造。
【請求項５】
前記保持部材は、前記基部の側縁から立設する係止片を備えており、
前記係止片は、前記ハウジングの第１の設定深さに挿入されたときに前記ハウジングと仮係止される仮係止部と、さらに第２の設定深さに挿入されたときに前記ハウジングと本係止される本係止部とを有し、
前記突起部は、前記仮係止部が前記ハウジングに仮係止されたときに、前記係止穴の外に位置され、前記本係止部が前記ハウジングに本係止されたときに、前記係止穴に挿入されてなる請求項１乃至４のいずれかに記載のコネクタ端子保持構造。
【発明の詳細な説明】
【技術分野】
【０００１】
本発明は、ハウジングに挿入されるコネクタ端子を保持部材によりハウジングに保持するコネクタ端子保持構造に関する。
【背景技術】
【０００２】
一般に、筒状のハウジングと、ハウジングの一方から挿入されるコネクタ端子とを備えるコネクタにおいては、ハウジングに可撓性を有するランスが一体で形成されている。ランスは、ハウジングに挿入されたコネクタ端子に押し付けられて弾性変形することでコネクタ端子の通過を許容し、続いて弾性復帰することにより、コネクタ端子の抜けを防ぐようになっている。また、ランスがコネクタ端子と係止されることで、ハウジングの所定位置にコネクタ端子が挿入されたことを確認できるようになっている。
【０００３】
この種のコネクタでは、ランスを形成したハウジングに保持部材を組み付ける構造が知られている。保持部材は、ハウジングと別体で形成された部材であり、ハウジングの筒壁に形成された開口に装着され、ランスに係止されたコネクタ端子をさらに係止するようになっている。これにより、コネクタ端子は、ランスと保持部材によって二重に係止されるため、ハウジングに対して高い保持力を得ることができる（例えば、特許文献１参照。）。
【先行技術文献】
【特許文献】
【０００４】
【特許文献１】特開２００３−１１５３４４号公報
【発明の概要】
【発明が解決しようとする課題】
【０００５】
ところで、電気自動車やハイブリッドカー等に搭載される高圧機器用のコネクタにおいては、例えば、安全性確保の観点から、ハウジングの小型化、特に薄型化が求められている。
【０００６】
しかしながら、特許文献１のように、ハウジングにランスを形成する場合、ハウジングにはランスの撓み代を考慮してランスの収容空間を設けなければならず、これがハウジングの薄型化を妨げる要因となっている。
【０００７】
本発明は、こうした問題に鑑みてなされたものであり、コネクタ端子の保持力を確保しながら、コネクタの薄型化を実現することを課題とする。
【課題を解決するための手段】
【０００８】
上記課題を解決するため、本発明に係るコネクタ端子保持構造は、筒状のハウジングに挿入されるコネクタ端子を保持部材によりハウジングに保持するものであり、ハウジングは、コネクタ端子に形成された係止穴と対向する位置の筒壁に開口が形成され、保持部材は、開口に装着されるとともにハウジングに係止される基部と、この基部から突出して係止穴に挿入可能に形成された突起部とを有してなることを特徴とする。
【０００９】
これによれば、コネクタ端子をハウジングの設定位置まで挿入し、保持部材をハウジングの開口に装着することにより、突起部がコネクタ端子の係止穴に挿入される。これにより、コネクタ端子は、突起部によって係止され、前後方向の動きが規制されるから、コネクタ端子の高い保持力を得ることができる。また、ハウジングの開口は、コネクタ端子の係止穴と対向する位置に配置されるから、保持部材はハウジング内に突起部を進入させるだけでよい。したがって、ハウジングの内部の小さなスペースを使用してコネクタ端子を保持することができるから、コネクタの薄型化を実現することができる。
【００１０】
ところで、コネクタ端子に例えばハウジングの後方へ引っ張る力が作用した場合、保持部材には、その後端部を中心として、前端部が持ち上がる回転力が作用する。このような回転力が保持部材に作用すると、例えば、コネクタ端子の係止状態が解除されて、コネクタ端子がハウジングから抜け出すおそれがある。
【００１１】
これに対し、本発明では、保持部材は、平板状に形成された基部の側縁から立設する支持片を備え、ハウジングは、この支持片がコネクタ端子の挿入方向の後方に傾いたときに当接可能に形成された壁部を有してなるものとする。
【００１２】
これによれば、保持部材に回転力が作用しても、保持部材の支持片が壁部と当接することにより、保持部材の回転を防ぐことができるから、コネクタ端子の抜け出しを防ぐことができる。
【００１３】
また、これに代えて、ハウジングの内壁面に、支持片を収容する凹部が形成されていてもよい。これによれば、支持片を、ハウジングの前後方向の両側から支持することができるから、保持部材の保持力を高めることができる。
【００１４】
また、ハウジングは、断面矩形に形成され、保持部材の支持片は、矩形の平板状に形成された基部の両側縁から対をなして立設し、支持片は、コネクタ端子の幅方向の両側に配置されることが好ましい。
【００１５】
これによれば、対をなして形成された支持部材によって保持部材をバランスよく保持することができるから、保持部材の回転をより確実に防ぐことができる。
【００１６】
また、保持部材は、基部の側縁から立設する係止片を備えており、係止片は、ハウジングの第１の設定深さに挿入されたときにハウジングと仮係止される仮係止部と、さらに第２の設定深さに挿入されたときにハウジングと本係止される本係止部とを有し、突起部は、仮係止部がハウジングに仮係止されたときに、係止穴の外に位置され、本係止部がハウジングに本係止されたときに、係止穴に挿入されてなるものとする。
【００１７】
これによれば、保持部材が仮係止されたハウジングにコネクタ端子を挿入し、その後、保持部材を本係止させることにより、コネクタ端子をハウジングに係止させることができるから、コネクタ端子の組み付け作業をスムーズに行うことができる。
【発明の効果】
【００１８】
本発明によれば、コネクタ端子の保持力を確保しながら、コネクタの薄型化を実現することができる。
【図面の簡単な説明】
【００１９】
【図１】本発明を適用したコネクタの分解斜視図である。
【図２】本発明を適用したコネクタの外観斜視図である。
【図３】保持部材の外観斜視図である。
【図４】図２のＡ−Ａ矢視方向におけるコネクタ端子を挿入する前の断面図である。
【図５】図２のＡ−Ａ矢視方向におけるコネクタ端子を挿入した後の断面図である。
【発明を実施するための形態】
【００２０】
以下、本発明が適用されるコネクタ端子保持構造の一実施の形態について、図面を参照しながら説明する。図１は本発明のコネクタ端子保持構造を適用したコネクタの分解斜視図であり、図２は図１の各部品が組み付けられたコネクタの外観斜視図である。
【００２１】
コネクタ１１は、図示しない１本の電線の端末に設けられ、相手側の電線と接続する際に用いられるものである。このコネクタ１１は、ハウジング１３と、コネクタ端子１５と、第１リアホルダ１７と、第２リアホルダ１９と、保持部材２９とを有している。以下の説明では、図１の矢印Ｘを前後方向（紙面の手前側を前方）、矢印Ｙを左右方向又は幅方向、矢印Ｚを上下方向（紙面の上側を上方）として定義し、この定義は、他の図面の説明においても適用されるものとする。
【００２２】
ハウジング１３は、絶縁性を有する合成樹脂により形成され、断面が略矩形の角筒状をなして形成される。ハウジング１３の内側には、前後方向を長手とする直方体状の端子収容室２１が形成される。この端子収容室２１には、ハウジング１３の後方の挿入口２３からコネクタ端子１５が挿入される一方、前方の挿入口２５から図示しない相手側端子が挿入される。挿入口２３は、雌端子であるコネクタ端子１５に対応させて比較的大きく形成されているのに対し、挿入口２５は、雄端子である相手側端子に対応させて比較的小さく形成されている。
【００２３】
ハウジング１３には、上面の筒壁を矩形状に貫通する開口２７が形成され、この開口２７には合成樹脂製の保持部材２９が装着されるようになっている。保持部材２９が装着されたハウジング１３は、図２に示すように、開口２７が閉じられた状態となる。
【００２４】
コネクタ端子１５は、電気接触部３１と、この電気接触部３１と連なる円筒状の電線接続部３３とを有している。電気接触部３１は、金属製の板材を角筒状に折り曲げて形成され、相手側端子のタブ状の電気接触部（図示せず）が差し込まれるようになっている。電線接続部３３は、金属板材を断面円形に湾曲させて形成され、電線端末から露出した導体を包み込むようにして圧着するようになっている。
【００２５】
第１リアホルダ１７と第２リアホルダ１９は、例えば、ハウジング１３の挿入口２３に挿入される電線の被覆された外周部分と挿入口２３の内面との隙間を埋めるために安全上設けられる部材であり、いずれも絶縁性を有する合成樹脂で形成される。第１リアホルダ１７は、第２リアホルダ１９の内側に組み付けて保持される。第２リアホルダ１９は、第１リアホルダ１７を組み付けて形成される開口３５の内側に電線が挿通される。第２リアホルダ１９は、左右の係止フック３７がハウジング１３の左右の両側面に形成される外部突起３９に係止されることで、ハウジング１３の後方に被さるようにして装着される。
【００２６】
なお、ハウジング１３の下方には、相手コネクタが嵌合するロッキングアーム４１が形成されているが、基本的に周知の構成であるため、説明を省略する。
【００２７】
図３は、保持部材２９を下からみた斜視図である。この保持部材２９は、コネクタ端子１５をハウジング１３に保持するための部材であり、絶縁性を有する合成樹脂により形成される。保持部材２９は、矩形の平板状に形成された基部４３と、支持片４５と、本係止片４７と、仮係止片４９と、突起部５１とを有しており、左右対称に形成される。基部４３は、開口２７に装着されるとともに、ハウジング１３に係止されるようになっている。突起部５１と支持片４５と本係止片４７及び仮係止片４９は、いずれも基部４３の同じ下面から突出して設けられ、支持片４５と本係止片４７及び仮係止片４９は、互いに平行に延びている。支持片４５と本係止片４７との前後方向の間隔は、本係止片４７と仮係止片４９との前後方向の間隔よりも大きく（例えば約２倍以上）設定されている。突起部５１は、横断面が矩形状に形成され、基部４３の前端縁の幅方向の中央部に突出して設けられる。基部４３の後方の側面は、突出方向に向かって先窄みとなるように傾斜して形成される。
【００２８】
支持片４５は、ハウジング１３に対して保持部材２９を安定に保持するための部材であり、側方からみると略矩形の平板状に形成され、基部４３の前端縁において、幅方向の両側縁から対をなして立設する。支持片４５の先端部には、面取りが施される。支持片４５は、その左右方向の厚みが、本係止片４７や仮係止片４９の左右方向の厚みと略同一に設定されるのに対し、前後方向の幅寸法は、本係止片４７や仮係止片４９の前後方向の幅寸法よりも大きく設定される。すなわち、支持片４５は、前後方向の外力に対して、本係止
片４７や仮係止片４９よりも、高い剛性を有している。一対の支持片４５の中央部には、突起部５１が配置される。
【００２９】
本係止片４７は、基部４３をハウジング１３に本係止するための部材であり、基部４３の後端縁において、幅方向の両側縁から対をなして立設し、前後方向に弾性変形可能になっている。一対の本係止片４７の先端部には、ハウジング１３に形成された本係止突起５３に引っ掛かる部分として、本係止部５５が前方に突出して形成される。
【００３０】
仮係止片４９は、基部４３をハウジング１３に仮係止させるための部材であり、基部４３の幅方向の両側縁から後方に延出させた延出部５７から対をなして立設し、前後方向に弾性変形可能になっている。一対の仮係止片４９の先端部には、ハウジング１３に形成された仮係止突起５９に引っ掛かる部分として、仮係止部６１が後方に突出して形成される。仮係止部６１は、仮係止片４９に対して高さの異なる位置から突出する２つの仮係止部６１ａ，６１ｂにより形成され、これらの仮係止部６１ａ，６１ｂの間にハウジング１３の仮係止突起５９が引っ掛かるようになっている。
【００３１】
本係止部５５の基部４３からの高さは、仮係止部６１の基部４３からの高さと異なるように設定される。本実施の形態では、仮係止部６１の高さが本係止部５５の高さよりも高くなるように設定される。すなわち、例えば、ハウジング１３の開口２７から挿入された保持部材２９は、仮係止片４９がハウジング１３の第１の設定深さに挿入されたときに、仮係止部６１ａ，６１ｂの間にハウジング１３の仮係止突起５９が引っ掛かることで、基部４３が仮係止される。さらに、保持部材２９は、本係止片４７がハウジング１３の第２の設定深さに挿入されたときに、本係止部５５にハウジング１３の本係止突起５３が引っ掛かかることで、基部４３が本係止される。
【００３２】
図１に示すように、コネクタ端子１５は、電気接触部３１を形成する上面部に、矩形状に開口する係止穴６３が形成される。この係止穴６３は、保持部材２９の突起部５１が挿入可能になっている。すなわち、コネクタ端子１５は、ハウジング１３の端子収容室２１に収容された状態で、ハウジング１３に装着された保持部材２９の突起部５１が係止穴６３に挿入される。以下、ハウジング１３の端子収容室２１の構成を詳細に説明する。
【００３３】
図４は、図２のＡ−Ａ矢視方向のハウジング１３の断面図であり、保持部材２９が仮係止された状態を表している。ハウジング１３は、前方の端面６５に矩形状の挿入口２５が貫通して形成される。コネクタ端子１５は、後方の挿入口２３から挿入されて、前方の端面６５と当接する位置（以下、設定位置という。）まで挿入されるようになっている。ハウジング１３は、設定位置にセットされたコネクタ端子１５の係止穴６３と対向する筒壁に開口２７が形成される。この開口２７には、保持部材２９が組み付けられる。
【００３４】
保持部材２９は、支持片４５を開口２７に向けてハウジング１３に挿入される。ハウジング１３は、幅方向で互いに対向する各内壁面において、それぞれ溝状の凹部６７が形成される。凹部６７は、開口２７を臨むように上下方向に延びて形成され、保持部材２９の各支持片４５を収容可能に形成される。すなわち、保持部材２９は、一対の支持片４５をそれぞれ凹部６７に沿って挿入することにより、適正な姿勢で所定の位置まで案内される。
【００３５】
凹部６７は、ハウジング１３の幅方向の両内壁面において、第１支持壁６９と第２支持壁７１に挟まれて形成される。第１支持壁６９は、凹部６７の前方の壁部を形成し、ハウジング１３の端面６５に至るまで連続して設けられる。第２支持壁７１は、凹部６７の後方の壁部を形成し、断面矩形状に突出して設けられ、前後方向の全長に亘って、開口２７を臨むように配置される。この第２支持壁７１は、保持部材２９に何らかの外力が作用して、支持片４５がハウジング１３の後方へ傾いたときに、この傾いた支持片４５が当接可能になっている。なお、第２支持壁７１は、凹部６７の入口部分を形成する前方の上端部に傾斜面が形成される。
【００３６】
また、ハウジング１３の内壁面には、各第２支持壁７１の後方に第３支持壁７３が形成される。第２支持壁７１と第３支持壁７３との間には、保持部材２９の本係止片４７と仮係止片４９とがそれぞれ収容されるようになっている。第２支持壁７１の後方の側面には、保持部材２９の本係止片４７が引っ掛けられる本係止突起５３が形成され、第３支持壁７３の前方の側面には、保持部材２９の仮係止片４９が引っ掛けられる仮係止突起５９が形成される。
【００３７】
第２支持壁７１は、支持片４５、本係止片４７及び仮係止片４９よりも端子収容室２１の内側に張り出して形成される。これにより、コネクタ端子１５は、支持片４５、本係止片４７及び仮係止片４９と接触することなく収容され、一対の第２支持壁７１によって、ハウジング１３の幅方向の両方から電気接触部３１が支持されるようになっている。さらに、第１支持壁６９には、端子収容室２１の内側へ張り出して形成される突条部７５が形成されている。この突条部７５は、ハウジング１３の前後方向に延在し、第２支持壁７１と同様にコネクタ端子１５の電気接触部３１を幅方向の両側から支持するようになっている。
【００３８】
コネクタ端子１５は、保持部材２９の突起部５１が係止穴６３に挿入されると、突起部５１と左右の筒壁との３方向から支持され、かつ、ハウジング１３の上下の筒壁により上下方向の動きも規制される。これにより、ハウジング１３に対して、コネクタ端子１５の上下左右の方向の振れを抑制することができる。特に、コネクタ端子１５は、第１支持壁６９と第２支持壁７１によって、電気接触部３１の全長に亘り、幅方向の両側からハウジング１３によって支持されるから、例えば、電線を介して幅方向の外力がコネクタ端子１５に作用したとしても、コネクタ端子１５の幅方向のガタつき（首振れ）を効果的に抑制することができる。
【００３９】
次に、このようにして構成されるコネクタ１１を組み付ける手順について、図４、５を参照して説明する。まず、コネクタ端子１５が挿入されていないハウジング１３に対して、保持部材２９を組み付ける。保持部材２９は、一対の支持片４５をそれぞれ凹部６７に向けて挿入される。これにより、保持部材２９は、支持片４５を介してハウジング１３の内部に案内される。
【００４０】
ハウジング１３の内部に案内された保持部材２９は、仮係止片４９がハウジング１３の第１の設定深さに挿入されると、仮係止部６１ａが、ハウジング１３の仮係止突起５９を乗り越える。これにより、仮係止部６１ａと仮係止部６１ｂとの間にハウジング１３の仮係止突起５９が引っ掛かり、基部４３がハウジング１３に仮係止される（図４）。このとき、保持部材２９は、未だ突起部５１が端子収容室２１に進入しておらず、コネクタ端子１５の係止穴６３の外に位置されている。
【００４１】
続いて、ハウジング１３の挿入口２３からコネクタ端子１５を挿入する。コネクタ端子１５は、保持部材２９の突起部５１や支持片４５、本係止片４７、仮係止片４９とそれぞれ接触することなく、設定位置まで挿入される。
【００４２】
次に、仮係止された保持部材２９をさらにハウジング１３の内部へ押し込む。これにより、仮係止片４９がハウジング１３の第２の設定深さに挿入されると、仮係止部６１ｂは、ハウジング１３の仮係止突起５９を乗り越えて、仮係止突起５９の下方に引っ掛かる。また、本係止片４７が、第２の設定深さに挿入されると、本係止部５５は、ハウジング１３の本係止突起５３を乗り越えて、本係止突起５３の下方に引っ掛かる。これにより、図５に示すように、基部４３は、ハウジング１３に本係止される。このとき、保持部材２９は、突起部５１がコネクタ端子１５の係止穴６３に正規位置まで挿入された状態となる。
【００４３】
このように、保持部材２９は、各係止片がハウジングの第１の設定深さを通過して第２の設定深さに達するまでの間、突起部５１が係止穴６３に挿入され始め、第２の設定深さに達したときに、突起部５１が正規位置に挿入された状態となる。これにより、コネクタ端子１５は、ハウジング１３に保持される。
【００４４】
続いて、コネクタ端子１５が保持されたハウジング１３に、第２リアホルダ１９を組み付ける。第２リアホルダ１９は、ハウジング１３側から第１リアホルダ１７が組み付けられ、予め電線が挿通されている。この第２リアホルダ１９をハウジング１３の後方に被さるように装着する。第２リアホルダ１９は、左右の係止フック３７がそれぞれハウジング１３の外部突起３９と係止されることで、ハウジング１３に固定される。これにより、ハウジング１３の挿入口２３の内周面と電線の外周面との隙間が小さくなるため、隙間を介した異物の侵入を防ぐことができる。
【００４５】
一方、ハウジング１３に本係止された基部４３は、ハウジング１３の開口２７の周縁の筒壁と略同じ高さに装着される。図２に示すように、開口２７の周縁には、切欠き部７７が形成され、この切欠き部７７と基部４３との間に隙間が形成されている。そのため、保持部材２９は、この隙間に図示しない治具を差し込んで基部４３を持ち上げることにより、保持部材２９の本係止状態を解除して、本係止部材２９をハウジング１３から容易に離脱させることができる。
【００４６】
本実施の形態では、コネクタ端子１５をハウジング１３の設定位置まで挿入し、保持部材２９をハウジング１３に組み付けることにより、保持部材２９の突起部５１がコネクタ端子１５の係止穴６３に挿入される。これにより、コネクタ端子１５は、突起部５１によって係止され、前後方向の動きが規制されるから、コネクタ端子１５の高い保持力を得ることができる。
【００４７】
また、本実施の形態では、コネクタ端子１５の係止穴６３と対向する位置にハウジング１３の開口２７が形成されるから、開口２７に装着される保持部材２９は、ハウジング１３に突起部５１を進入させるだけでよい。したがって、ハウジング１３にランスを設けたときのランスの撓み代を考慮した収容空間を設ける必要がなく、極めて小さなスペースでコネクタ端子１５を保持することができるから、コネクタ１１の小型化、特に薄型化を実現することができる。また、このようにハウジング１３にランスを設けることなく、コネクタ１１を小型化、薄型化することにより、ハウジング１３に収容されたコネクタ端子１５等の活電部分への触手を抑制することができるから、コネクタ１１の安全性を高めることができる。
【００４８】
また、本実施の形態では、保持部材２９は、一対の支持片４５がハウジング１３の凹部６７に収容された状態でハウジング１３に保持される。すなわち、支持片４５は、ハウジング１３の第２支持壁７１の壁部と対向して配置される。これにより、例えば、電線を介してコネクタ端子１５が後方へ引っ張られ、保持部材２９に例えば基部４３の後端部を中心とする回転力が発生し、基部４３の前端部がハウジング１３の内側へ持ち上げられたとしても、コネクタ端子１５の挿入方向の後方へ傾いた支持片４５が、凹部６７を形成する第２支持壁７１の壁部と当接することにより、保持部材２９の回転を規制することができる。このように保持部材２９の回転を規制することにより、ハウジング１３に対する保持部材２９の保持力を高めることができるから、係止穴６３から突起部５１が離脱することによるコネクタ端子１５の抜け出しを防ぐことができる。
【００４９】
また、支持片４５は、基部４３の前後方向において、本係止片４７や仮係止片４９よりも前方に配置され、具体的には、基部４３の前端縁の幅方向の両側に突起部５１を挟むようにして配置される。このため、支持片４５を第２支持壁７１の壁部と当接させることにより、基部４３の回転をより効果的に規制することができる。また、基部４３にかかる回転方向の応力は、支持片４５と第２支持壁７２の壁部とのクリアランスを適宜設定することで、支持片４５に集中させることができるから、本係止片４７や仮係止片４９にかかる負荷を少なくしてこれらの損傷を防ぐことができ、さらに、ハウジング１３に対する基部４３の係止状態を維持することができるから、コネクタの信頼性を高めることができる。また、支持片４５と本係止片４７との前後方向の間隔は、本係止片４７と仮係止片４９との前後方向の間隔よりも大きく設定されるから、支持片４５と本係止片４７との間に、所望の形状の第２支持壁７１を介在させることができる。
【００５０】
また、本実施の形態では、各支持片４５をそれぞれ凹部６７に収容することにより、各支持片４５をハウジング１３の前後方向の両側から支持することができるため、支持片４５のガタつきを防ぎ、保持部材２９の保持力を高めることができる。そして、保持部材２９の組付時において、支持片４５を凹部６７に収容することにより、保持部材２９をハウジング１３に案内することができるから、保持部材２９の組付性を高めるとともに、突起部５１がコネクタ端子１５の係止穴６３の周縁と接触して損傷するのを防ぐことができる。なお、突起部５１は、先方に傾斜面を有しているから、仮に突起部５１が係止穴６３の周縁と接触しても、損傷を防ぐことができる。
【００５１】
また、本実施の形態では、支持片４５の幅方向の厚みを第２支持壁７１の厚みよりも小さく設定し、支持片４５が第２支持壁７１よりも端子収容室２１の内側へ張り出さないようにしている。これにより、支持片４５とコネクタ端子１５との間に隙間が確保されるから、例えば、保持部材とコネクタ端子１５との間を伝播する振動を隙間で吸収することができ、コネクタ端子１５の振れを抑制することができる。
【００５２】
以上、本発明の実施形態を図面により詳述してきたが、上記の実施形態は本発明の例示にしか過ぎないものであり、本発明は上記の実施形態の構成にのみ限定されるものではない。本発明の要旨を逸脱しない範囲の設計の変更などがあっても、本発明に含まれることは勿論である。
【００５３】
例えば、本実施の形態では、保持部材２９の支持片４５を収容するために、ハウジング１３に凹部６７を形成する例を説明したが、ハウジング１３は、少なくとも、支持片４５がハウジング１３の後方へ傾いたときに当接可能な壁部、すなわち、本実施の形態の例でいうと、第２支持壁７１が設けられていればよい。ただし、本実施の形態のように、第１支持壁６９（突条部７５）を設けることにより、コネクタ端子１５を幅方向の両側から支持する領域を拡大することができるから、コネクタ端子１５の振れ防止の効果をより高めることができる。
【００５４】
また、本実施の形態では、保持部材２９の基部４３をハウジング１３に保持するために、本係止片４７と仮係止片４９を別個に設ける例を説明したが、これらを共通の係止片として形成することもできる。この場合、共通の係止片の高さの異なる位置に、本係止部５５と仮係止部６１を設けることになる。なお、本係止片４７と仮係止片４９との前後方向の位置は、互いに逆転させてもよい。
【００５５】
また、本実施の形態では、１本の電線同士を接続するコネクタについて説明したが、本発明は、例えば、複数の電線同士を接続するコネクタに対して適用することもできる。この場合、例えば、複数のコネクタ端子を挿入可能なハウジングを用意し、このハウジングの開口に、複数の突起部が形成された保持部材を装着することにより、各コネクタ端子を同時に保持することが可能になる。
【符号の説明】
【００５６】
１１  コネクタ
１３  ハウジング
１５  コネクタ端子
２１  端子収容室
２７  開口
２９  保持部材
４３  基部
４５  支持片
４７  本係止片
４９  仮係止片
５１  突起部
５５  本係止部
６１  仮係止部
６３  係止穴
６７  凹部
７１  第２支持壁
【図１】
2015125837.tif 000003
【図２】
2015125837.tif 000004
【図３】
2015125837.tif 000005
【図４】
2015125837.tif 000006
【図５】
2015125837.tif 000007